(57)【要約】【課題】カーボンランプヒータの取付けが容易であると共に、ヒータ線と外部電源回路とを確実に接続できるカーボンランプヒータの取付装置と、その取付装置にヒータがセットされたヒータユニットと、そのヒータユニットを備えた加熱調理器を提供する。【解決手段】ガラス管８の端部に絶縁碍子９が設けられ、絶縁碍子９からヒータ端子１０が突出されたカーボンランプヒータ１１の取付装置１２において、取付装置１２の本体側に、ヒータ端子１０と電気的に接続する接続受具１９が設けられ、接続受具１９は、ヒータ端子１０を挿入可能な接続孔２２が形成された受け部２３と、接続孔２２に設けられた受け端子２４と、ヒータ端子１０を受け端子２４に挟圧保持する保持手段２５とを備えたことを特徴とするカーボンランプヒータ１１の取付装置１２である。【選択図】図３
2010049893.tif 000002
【特許請求の範囲】
【請求項１】
ガラス管端部に絶縁碍子が設けられ、該絶縁碍子からヒータ端子が突出されたカーボンランプヒータの取付装置において、前記取付装置の本体側に、ヒータ端子と電気的に接続する接続受具が設けられ、
該接続受具は、ヒータ端子を挿入可能な接続孔が形成された受け部と、前記接続孔に設けられた受け端子と、前記ヒータ端子を前記受け端子に挟圧保持する保持手段とを備えたことを特徴とするカーボンランプヒータの取付装置。
【請求項２】
前記保持手段は、前記接続孔を含む受け部が複数に分割されて分割受け部とされ、前記接続孔が拡縮自在に構成され、前記接続孔を縮径側に締め付ける締付部が設けられたことを特徴とする請求項１に記載のカーボンランプヒータの取付装置。
【請求項３】
前記締付部は、前記分割受け部を背面側から前記接続孔縮径側に押圧するネジが設けられたことを特徴とする請求項２に記載のカーボンランプヒータの取付装置。
【請求項４】
前記カーボンランプヒータは、ガラス管の一端側に一対のヒータ端子を備え、ガラス管の他端側が封止された片側端子接続型であって、前記ガラス管の他端封止部が受け具に係合載置されたことを特徴とする請求項１〜３のいずれかに記載のカーボンランプヒータの取付装置。
【請求項５】
前記カーボンランプヒータは、内側ガラス管及び外側ガラス管からなる内外二重構造のガラス管と、内側ガラス管内に配置された発熱体と、該発熱体に沿ってその一側に配置され、発熱体からの発熱を反射させる反射板とを備え、該反射板が発熱体への電源供給回路の一部を構成するよう前記発熱体と電気的に接続されたことを特徴とする請求項１〜４のいずれかに記載のカーボンランプヒータの取付装置。
【請求項６】
ガラス管端部に絶縁碍子が設けられ、該絶縁碍子からヒータ端子が突出されたカーボンランプヒータと、前記ヒータ端子を外部電源回路に電気的に接続する請求項１〜５のいずれかに記載の取付装置とを備えたことを特徴とするヒータユニット。
【請求項７】
請求項６に記載のヒータユニットを備えたことを特徴とする加熱調理器。
【発明の詳細な説明】
【技術分野】
【０００１】
本発明は、加熱調理器や保温器等の電気機器の加熱源として使用されるヒータのヒータ端子を、電気機器に電気的に接続するための取付装置と、この取付装置にヒータがセットされたヒータユニットと、さらにヒータユニットを備えた加熱調理器に関するものである。
【背景技術】
【０００２】
カーボンランプヒータは、炭素系材料の発熱体が石英ガラス管内に封入された構造で、発熱体の端部からガラス管外へ導出されたヒータ線が外部電源回路に接続されて、発熱体へ電源が供給される。その接続は、ヒータの端部からリード線を引き出し、これを外部電源回路と接続するリード線タイプと、ヒータの端部からヒータ端子を突出させ、これを電源回路のプラグの端子に嵌合接続するソケットタイプとがある（特許文献１参照）。
【特許文献１】特開２００８−９８１３５号公報
【発明の開示】
【発明が解決しようとする課題】
【０００３】
ところが、リード線タイプの場合、カーボンランプヒータのメンテナンス時に、ヒータの取り替え作業が面倒になる。また、ソケットタイプの場合、端子棒をプラグの穴に差し込むことによって外部電源回路と接続するので、メンテナンス時のヒータの取り替え作業は簡単ではあるが、このようなソケットタイプでは、長期の使用によりプラグと端子棒との嵌合がゆるんで、端子棒にぐらつきが発生する可能性があり、接触不良や発熱などの心配がある。
【０００４】
本発明は、上記に鑑み、カーボンランプヒータの取付けが容易であると共に、ヒータ線と外部電源回路とを確実に接続できるカーボンランプヒータの取付装置と、その取付装置にヒータがセットされたヒータユニットと、そのヒータユニットを備えた加熱調理器の提供を目的とするものである。
【課題を解決するための手段】
【０００５】
上記目的を達成するため、本発明は、ガラス管端部に絶縁碍子が設けられ、絶縁碍子からヒータ端子が突出されたカーボンランプヒータの取付装置において、取付装置の本体側に、ヒータ端子と電気的に接続する接続受具が設けられ、接続受具は、ヒータ端子を挿入可能な接続孔が形成された受け部と、接続孔に設けられた受け端子と、ヒータ端子を受け端子に挟圧保持する保持手段とを備えたことを特徴とするカーボンランプヒータの取付装置である。
【０００６】
受け部の接続孔にヒータ端子を挿入し、ヒータ端子と接続孔内の受け端子とを接触させ、保持手段で挟圧保持することにより、確実にヒータ端子と受け端子とを接続することができる。また、溶接などの作業も不要であるため、接続作業が容易である。
【０００７】
保持手段は、接続孔を含む受け部が複数に分割されて分割受け部とされ、接続孔が拡縮自在に構成され、接続孔を縮径側に締め付ける締付部が設けられた構成とすることができる。
【０００８】
また、締付部として、分割受け部を背面側から接続孔縮径側に押圧する手段、具体的にはネジを設けることができる。
【０００９】
カーボンランプヒータは、ガラス管の両端側にヒータ端子を備えてもよいし、ガラス管の一端側に一対のヒータ端子を備え、ガラス管の他端側が封止された片側端子接続型としてもよい。片側端子接続型の場合は、ガラス管の他端封止部を受け具に係合載置するとよい。
【００１０】
また、カーボンランプヒータは、これに限定されるものではないが、内側ガラス管及び外側ガラス管からなる内外二重構造のガラス管と、内側ガラス管内に配置された発熱体と、発熱体に沿ってその一側に配置され、発熱体からの発熱を反射させる反射板とを備え、反射板が発熱体への電源供給回路の一部を構成するよう発熱体と電気的に接続された構成とすることができる。
【００１１】
このように、ガラス管端部に絶縁碍子が設けられ、絶縁碍子からヒータ端子が突出されたカーボンランプヒータと、ヒータ端子を外部電源回路に電気的に接続する取付装置とからなるヒータユニットを、加熱調理器などの電気機器に組み込むことができる。
【発明の効果】
【００１２】
以上のとおり、本発明によると、受け部の接続孔にヒータ端子を挿入して、ヒータ端子と接続孔内の受け端子とを接触させ、保持手段によって挟圧保持すればよいので、溶接などの作業が不要となり、接続作業が容易である。また、保持手段によって挟圧保持することにより、確実にヒータ端子と受け端子とを接続することができる。
【発明を実施するための最良の形態】
【００１３】
以下、本発明の実施形態を図面に基づいて説明する。図１は本発明に係る加熱調理器の斜視図、図２は同じく加熱調理器の分解斜視図、図３は本発明に係るヒータユニットを示す図であって、（ａ）は斜視図、（ｂ）は分解斜視図、図４は本発明に係るカーボンランプヒータを示す図であって、（ａ）は平面図、（ｂ）は側面図、（ｃ）は左側面図、図５は本発明に係る接続受具を示す図であって、（ａ）は平面図、（ｂ）は正面図である。
【００１４】
本実施形態における加熱調理器１は、図１及び図２に示すように、上面が開口した箱状の筐体２と、筐体２の上面開口に載置され、開口３ａを有する受け板３と、受け板３の開口３ａに着脱自在に搭載される加熱プレートや加熱鍋などの加熱体４と、筐体２内に形成され、ヒータユニット６を支持するヒータユニット支持部５と、加熱手段としての複数のヒータユニット６と、ヒータユニット６よりも下方に配され、筐体２の前面から引き出し自在なドレンパン７と、ドレンパン７よりも下方に設けられた操作ユニット（図示せず）とを備えている。
【００１５】
加熱体４は、加熱プレートや調理鍋から構成される。加熱プレートは、例えば、たこ焼きプレート、大判焼きプレート、お好み焼きプレート、鉄板焼きプレート、シュウマイや餃子焼き等を調理する蓋付きプレート、焼きおにぎり、焼き芋、みたらしを調理するプレートが例示できる。調理鍋としては、麺類をゆでる調理鍋やおでんを調理保温するおでん鍋が例示できる。図１及び図２には、たこ焼きプレート４を例示している。
【００１６】
ヒータユニット支持部５は、長板状に形成され、筐体２の内部上方位置に、左右の側壁２ａ間に差し渡して設けられている。ヒータユニット支持部５は、筐体２の前後に一対設けられ、ヒータユニット６の両端を支持する。
【００１７】
ヒータユニット６は、前後のヒータユニット支持部５に水平に架け渡して設けられ、左右方向に複数並んで配置される。図３に示すように、ヒータユニット６は、透明なガラス管８の端部に絶縁碍子９が設けられ、絶縁碍子９からヒータ端子１０が突出されたカーボンランプヒータ１１と、ヒータ端子１０を電気機器に電気的に接続する取付装置１２とを備える。
【００１８】
カーボンランプヒータ１１は、図４に示すように、ガラス管８の一端側に、絶縁碍子９から突出した一対のヒータ端子１０を備え、ガラス管８の他端側が封止された片側端子接続型である。具体的には、カーボンランプヒータ１１は、内側ガラス管８ａ及び外側ガラス管８ｂからなる内外二重構造のガラス管８を有し、内側ガラス管８ａ内に、遠赤外線の放射率の高い炭素系材料からなる長尺薄板状の発熱体１３が封入される。発熱体１３の両端は接続金具１４に挟持され、接続金具１４から内側ガラス管８ａ外へリード線１５、１５が引き出される。また、発熱体１３に沿って、内側ガラス管８ａと外側ガラス管８ｂとの間に、導電性の反射板１６が設けられる。反射板１６は、発熱体１３の一側に配置され、発熱体１３からの輻射熱を反射させる。
【００１９】
発熱体１３から引き出されたリード線１５、１５のうち、絶縁碍子側のリード線１５は、ヒータ端子１０に接続される。封止側のリード線１５は、別のリード線１７を介して、反射板１６の封止側の端部に接続される。そして、反射板１６の絶縁碍子側の端部に、別のリード線１８が接続され、さらにヒータ端子１０に接続される。このように、反射板１６が発熱体１３への電源供給回路の一部を構成するように、反射板１６と発熱体１３とが電気的に接続されている。
【００２０】
取付装置１２は、図３に示すように、ヒータ端子１０と電気的に接続する接続受具１９と、ガラス管８の他端封止部１１ａが係合載置される受け凹部２０ａ付きの受け具２０とを備える。接続受具１９は後方のヒータユニット支持部５に固定され、受け具２０は前方のヒータユニット支持部５に固定される。なお、接続受具１９及び受け具２０の取付位置が前後逆でもよい。
【００２１】
接続受具１９は、図３及び図５に示すように、金属製のケース２１と、ケース２１内に収容され、ヒータ端子１０を挿入可能な接続孔２２が形成された受け部２３と、接続孔２２に設けられた受け端子２４と、ヒータ端子１０を受け端子２４に挟圧保持する保持手段２５とを備える。受け端子２４は、加熱調理器１の本体の電極（図示せず）に接続されている。
【００２２】
ケース２１は、断面コの字状の上ケース２６及び下ケース２７から構成され、互いの凹側が向きあうようにして、下ケース２７の上に上ケース２６が嵌合される。上ケース２６は、天板２６ａ及び左右の側板２６ｂとから構成される。天板２７ａにネジ孔が設けられ、その内壁面にはネジ溝が形成される。下ケース２７は、底板２７ａ及び左右の側板２７ｂとから構成され、底板２７ａが後方へ延長されて、その延長部分に固定孔が設けられる。この固定孔を用いてヒータユニット支持部５にネジ２８で固定される。
【００２３】
受け部２３は、絶縁碍子製で直方体形状であり、接続孔２２の中間位置を境にして上下に分割されて、上方分割受け部２３ａ及び下方分割受け部２３ｂとされる。すなわち、上方分割受け部２３ａと下方分割受け部２３ｂとの各対向面に、接続孔２２の一部が形成される。この上方分割受け部２３ａと下方分割受け部２３ｂとの間隔を調整することにより、接続孔２２が拡縮自在に構成される。
【００２４】
受け端子２４は上下に分割され、上方受け端子２４ａが上方分割受け部２３ａの接続孔２２に固定され、下方受け端子２４ｂが下方分割受け部２３ｂの接続孔２２に固定される。また、受け端子にはばね性がもたされており、ヒータ端子１０の保持をより確実なものとできる。なお、受け部２３を、接続孔２２の境にして上下に分割したが、これに限定されるものではなく、左右に分割するようにしてもよい。これに合わせて、受け端子２４も左右に分割すればよい。
【００２５】
保持手段２５は、接続孔２２を縮径側に締め付ける締付部２９を有する。締付部２９として、上方分割受け部２３ａを背面側（上方側）から接続孔２２縮径側（下方側）に押圧するネジ２９ａと、上方分割受け部２３ａの上面に載置される押さえ板２９ｂとから構成される。ネジ２９ａは、上ケース２６のネジ孔に螺合される。ネジ２９ａを羅進させることにより、押さえ板２９ｂを介して上方分割受け部２３ａを下方分割受け部２３ｂ側へ押圧する。押圧を進めることにより、接続孔２２を縮径することができる。反対に、ネジ２９ａを緩めることにより、接続孔２２を拡径することができる。
【００２６】
受け具２０は、図３に示すように、上端に受け凹部２０ａを有し、カーボンランプヒータ１１の他端封止部１１ａを載置することができる。なお、これに限定されるものではなく、凹部の代わりに孔を形成し、そこにカーボンランプヒータ１１の他端封止部１１ａを挿入して保持させるようにしてもよい。
【００２７】
上記構成において、筐体２内にカーボンランプヒータ１１を取り付ける際には、他端封止部１１ａを受具の凹部２０ａに載置し、カーボンランプヒータ１１のヒータ端子１０を、受け部の接続孔２２内に挿入する。そして、ネジ２９ａを締め付け操作して羅進させることにより、押さえ板２９ｂを介して上方分割受け部２３ａを下方分割受け部２３ｂ側へ押圧し、接続孔２２を縮径させて、ヒータ端子１０を受け端子２４に適当な圧力で挟圧保持することができる。
【００２８】
また、カーボンランプヒータ１１を取り外す際には、ネジ２９ａを緩めて後退させることにより、上方分割受け部２３ａの下方分割受け部２３ｂ側への押圧を緩め、接続孔２２を拡径し、接続孔２２からヒータ端子１０を抜き取ればよい。
【００２９】
このように、ネジ２９ａの操作だけで簡単にカーボンランプヒータ１１を着脱できるので、専門的な技術をもたない者でも簡単に加熱調理器１への組み込みを行うことができる。また、ネジ２９ａの操作によってその挟圧の力を調節しながら、ヒータ端子１０を受け端子２４に挟圧保持するので、その接続の安定性が高い。
【００３０】
なお、本発明は、上記実施形態に限定されるものではなく、本発明の範囲内で多くの修正変更を加えることができるのは勿論である。例えば、上記実施形態では、ヒータユニット６を加熱体４の下方側に設け、加熱体４を下方から加熱したが、ヒータユニット６を加熱体４の上方側に設けてもよい。その場合、ヒータユニット６を１８０°回転させて設置するようにすればよい。
【００３１】
また、上記実施形態では、片側端子接続型のカーボンランプヒータを用いたが、ガラス管の両端側にヒータ端子を備えたカーボンランプヒータを用いてもよい。その場合、取付装置１２は、ヒータ端子１０と電気的に接続する接続受具１９を、ガラス管８の両端に設け、受け具２０を省略する構成とすればよい。
【図面の簡単な説明】
【００３２】
【図１】本発明に係る加熱調理器の斜視図
【図２】同じく加熱調理器の分解斜視図
【図３】本発明に係るヒータユニットを示す図であって、（ａ）は斜視図、（ｂ）は分解斜視図
【図４】本発明に係るカーボンランプヒータを示す図であって、（ａ）は平面図、（ｂ）は側面図、（ｃ）は左側面図
【図５】本発明に係る接続受具を示す図であって、（ａ）は平面図、（ｂ）は正面図
【符号の説明】
【００３３】
１  加熱調理器
２  筐体
３  受け板
４  加熱体
５  ヒータユニット支持部
６  ヒータユニット
７  ドレンパン
８  ガラス管
８ａ  内側ガラス管
８ｂ  外側ガラス管
９  絶縁碍子
１０  ヒータ端子
１１  カーボンランプヒータ
１１ａ  他端封止部
１２  取付装置
１３  発熱体
１６  反射板
１９  接続受具
２０  受け具
２１  ケース
２２  接続孔
２３  受け部
２３ａ  上方分割受け部
２３ｂ  下方分割受け部
２４  受け端子
２５  保持手段
２６  上ケース
２７  下ケース
２８  ネジ
２９  締付部
【図１】
2010049893.tif 000003
【図２】
2010049893.tif 000004
【図３】
2010049893.tif 000005
【図４】
2010049893.tif 000006
【図５】
2010049893.tif 000007